(57)【要約】【課題】従来の仮止め具の長所を有しながら、その装着に起因して雨水が溜まることが軽減され、取付片部の外側面の文字や記号が隠れないよう改善する。【解決手段】２つ割バンド本体の一対の取付片部１１で建屋の足部材２を挟み込んで、ボルト３とナット４で一対の取付片部１１を足部材２に固着するパイプ支持バンドＡの仮止め具５において、一方の取付片部１１の片面に添装される取付ベース５０と、この取付ベース５０の添装状態で貫通孔１２，２２に対応する位置に形成されたボルト係止用空所５１と、取付ベース５０の上端及び／又は下端から略垂直方向に延設され、他方の取付片部１１に係止する係止爪５２ａを設けた片部５２とよりなり、取付ベース５０を一方の取付片部１１の一方の内側面と足部材２との間に添装させる。【選択図】        図１
2004232799.tif 000002
【特許請求の範囲】
【請求項１】
パイプを抱持する２つ割バンド本体の一対の取付片部で建屋に固設される足部材を挟み込み、この一対の取付片部及び足部材にはボルトの軸部を挿通する１以上の貫通孔が各々開設され、上記ボルト及びナットで一対の取付片部を上記足部材に固着するパイプ支持バンドの仮止め具であって、
一方の取付片部の片面に添装される取付ベースと、この取付ベースの上記添装状態で前記貫通孔に対応する位置に形成されたボルト係止用空所と、上記取付ベースの上端及び／又は下端から略垂直方向に延設され、他方の取付片部に係止する係止爪を設けた片部とよりなり、上記取付ベースが上記一方の取付片部の内側面と足部材との間に添装されることを特徴とするパイプ支持バンドの仮止め具。
【請求項２】
請求項１において、
上記ボルト係止用空所は、ボルト係止用孔部によって形成されているパイプ支持バンドの仮止め具。
【請求項３】
請求項１において、
上記ボルト係止用空所は、上記取付ベースの側辺部より切欠かれ上記添装状態で上記貫通孔に対応する位置にまで延びるボルト係止用切欠部によって形成されているパイプ支持バンドの仮止め具。
【請求項４】
請求項１において、
上記ボルト係止用空所は、上記取付ベースに形成されたボルト挿通孔と、このボルト挿通孔に連なり上記添装状態で上記貫通孔に対応する位置にまで延びるボルト係止用長孔部とによって形成されているパイプ支持バンドの仮止め具。
【請求項５】
請求項１〜４のいずれかにおいて、
上記片部は、上記取付ベースの上端及び下端から、略並行に各々延設された一対の上片部及び下片部で構成されているパイプ支持バンドの仮止め具。
【請求項６】
請求項１〜５のいずれかにおいて、
上記取付ベースには、上記片部の延設方向とは反対側に向く第２の係止爪が形成され、上記一方の取付片部を把持可能とされたパイプ支持バンドの仮止め具。
【請求項７】
請求項１〜６のいずれかにおいて、
上記取付ベースの取付片部又は足部材添装面側に隆起突部が形成されているパイプ支持バンドの仮止め具。
【発明の詳細な説明】
【０００１】
【発明の属する技術分野】
本発明は、建築物の壁面・天井面又は床面等に沿って配設されるパイプを抱持支承するパイプ支持バンドの仮止め具に係り、詳しくは、パイプを抱持する２つ割バンド本体の一対の取付片部で足部材を挟み込み、ボルト、ナットで両者を固着するパイプ支持バンドの仮止め具に関するものである。
【０００２】
【従来の技術】
特許文献１は、本出願人が先に提案したパイプ支持バンド用仮止め具の一例を示すものである。この従来技術によれば、マンション等の高層建築物の壁面等に沿って、縦樋等のパイプを配設するに際し、基部が互いにヒンジ結合された２つ割りのバンド本体をパイプの周体に抱持させ、各バンド本体の先端に形成された取付片部を、壁面等に取付けられた足部材を挟み込むように重合させ、且つ後記する仮止め具を添装して、これらを一体的にボルト・ナットで締結することにより壁面等への配設がなされる。
【０００３】
上記仮止め具は板金材等からなり、一方の取付片部の片面に添装される取付ベースと、その上下端部から垂直に延設された互いに並行な上下一対の片部とより構成される。この片部には一方の取付片部及び他方の取付片部にそれぞれ係止する２種の係止爪を備え、また、取付ベースには取付片部に開設されたボルト用貫通孔に対応する位置に、開口径がボルト軸部の山径よりやや小さく且つ遠心方向の切込み部を備えたボルト係止用空所が設けられている。
【０００４】
このような仮止め具を用いて、上記バンド本体によりパイプを建屋の壁面等に配設する場合、予め、取付ベース側の上記係止爪を一方の取付片部に係止させて取付ベースをこの取付片部の片面に添装させ、ボルトを取付ベースに形成された上記ボルト係止用空所に圧入させると共に取付片部に開設された貫通孔に貫挿させておく。次いで、壁面等に取付けられた上記足部材の貫通孔（長孔）に上記ボルトを挿通させ、パイプの周体に２つ割りバンド本体を抱持させる。そして、他方の取付片部を、上記もう一方の係止爪に係止させつつ、この取付片部に開設された貫通孔に上記ボルトを貫挿させ、該ボルトにナットを螺合させて上記締結固着がなされる。
【０００５】
上記のような仮止め具を用いたパイプの配設作業においては、取付ベースに形成されたボルト係止用空所の開口径がボルト軸部の山径より小さくされているから、このボルト係止用空所及び上記貫通孔にボルトを貫挿させた状態では、その抜けが防止され、作業中ボルトから手を離しても、ボルトが抜け出して落下するような懸念がない。また、片部に形成された２種の係止爪により、足部材を挟みこんだ状態で両バンド本体の取付片部が重合状態に維持されるから、ナットの締付前においてバンド本体から手を離してもバンド本体が外れることがない。従って、作業者は両手がフリーとなり、パイプを抱持しながらのボルト・ナットの締付作業を効率よく行うことができる。特に、マンション等の高層建築物の危険な高所作業を伴う建築現場においては、このような作業性の良さは安全性の点でも極めて高く評価されている。
【０００６】
【特許文献１】
特許第３３６４４６８号公報
【０００７】
【発明が解決しようとする課題】
上記のパイプ支持バンドの仮止め具は、パイプ配設作業の作業効率を飛躍的に向上させ、また作業の安全性の面でも高く評価されているが、次のような問題点も指摘されるようになった。即ち、前述の従来技術による仮止め具では、その取付ベースが取付片部の外側面に添装されるので、この場合折り曲げ延設された片部と取付片部との間に雨水が溜まり易く、錆の発生の原因となったり、劣化を促進することが予想される。
【０００８】
また、取付片部の外側面には、パイプ支持バンドの品番やメーカー名等が標示されていることも多いが、この面が取付ベースで覆われてしまうと、現場合せに支障を来たしたり、或いは商品の宣伝効果が減退したりすることになるという面もあり、更なる改善の余地が残されているように思える。
【０００９】
本発明の目的は、上記実情に鑑みなされたものであり、従来のパイプ支持バンドの仮止め具としての長所を有しながら、仮止め具の装着に起因して雨水が溜まることが極力無く、しかも、取付片部の外側面に標示された文字や記号が隠れてしまうこともないように改善された仮止め具を提供する点にある。
【００１０】
【課題を解決するための手段】
請求項１の発明に係るパイプ支持バンドの仮止め具は、パイプを抱持する２つ割バンド本体の一対の取付片部で建屋に固設される足部材を挟み込み、この一対の取付片部及び足部材にはボルトの軸部を挿通する１以上の貫通孔が各々開設され、ボルト及びナットで一対の取付片部を足部材に固着するパイプ支持バンドの仮止め具において、
一方の取付片部の片面に添装される取付ベースと、この取付ベースの添装状態で貫通孔に対応する位置に形成されたボルト係止用空所と、取付ベースの上端及び／又は下端から略垂直方向に延設され、他方の取付片部に係止する係止爪を設けた片部とよりなり、取付ベースが一方の取付片部の内側面と足部材との間に添装されることを特徴とする。
【００１１】
請求項１の構成によれば、ボルトを係止させるための取付ベースが、取付片部の一方の内側面と足部材との間に添装されるから、その一方の取付片部の外側には片部が存在しなくなり、この一方の取付片部と片部との間に雨水が溜まることが解消される。つまり、いずれか一方の取付片部の内側に取付ベースが位置するので、取付片部と片部とで挟まれる箇所が少なくなるのである。そして、その一方の取付片部の外側面は開放されることになるから、その開放される側面に品番やメーカー名等を刻印やペイントする面とすることにより、仮止め具を装着しても品番やメーカー名等を露出させることができる。
【００１２】
この場合、一方の取付片部の側面に取付ベースを当接させた状態で、その取付片部における取付ベースが当接されない側の側面から貫通孔及びボルト係止用空所にボルトを通すことにより、ボルトがボルト係止用空所に係止されて仮止め具を一方の取付片部に仮止めすることができる。そして、取付片部に係止する係止爪を設けた片部は、曲げ或いは切起こし加工によって形成することができるとともに、取付ベースの上端及び下端から、略並行に各々延設された一対の上片部及び下片部で構成すること（請求項５）も採用可能である。
【００１３】
また、ボルト係止用空所は、丸孔等のボルト係止用孔部によって形成されたり（請求項２）、長穴状の切欠きといった具合に、取付ベースの側辺部より切欠かれ添装状態で貫通孔に対応する位置にまで延びるボルト係止用切欠部によって形成されたもの（請求項３）、或いは、略だるま形状の孔といった具合に、取付ベースに形成されたボルト挿通孔と、このボルト挿通孔に連なり添装状態で貫通孔に対応する位置にまで延びるボルト係止用長孔部とによって形成されたもの（請求項４）等、種々の形態が可能である。
【００１４】
請求項６の発明に係るパイプ支持バンドの仮止め具は、請求項１〜５の構成において、取付ベースには、片部の延設方向とは反対側に向く第２の係止爪が形成され、一方の取付片部を把持可能とされたことを特徴とするものである。
【００１５】
請求項６の構成によれば、片部の延設方向とは反対側に向く第２の係止爪が取付ベースに形成されているので、この第２の係止爪を用いることで一方の取付片部を把持可能となるから、仮止め具を一方の取付片部に仮止めする場合にあたり、ボルトを挿通操作しなければならない、というようなことは無くなる。これにより、仮止め具の仮止め装着操作がより簡単なものとなる。
【００１６】
請求項７の発明に係るパイプ支持バンドの仮止め具は、請求項１〜６のいずれかの構成において、取付ベースの取付片部又は足部材添装面側に隆起突部が形成されていることを特徴とするものである。
【００１７】
請求項７の構成によれば、ボルト及びナットによって螺装締結する際、取付ベースの取付片部又は足部材添装面側に形成された隆起突部が、取付ベースと取付片部との間に介在し、両者によって挟圧されることになるから、その復元反力により、皿ばね或いはスプリングワッシャのようなボルトの緩みを防止する機能が生じ、一対の取付片部、足部材、及び仮止め具の緊合固着状態が長く維持されるようになる。
【００１８】
【発明の実施の形態】
以下、本発明に係るパイプ支持バンドの仮止め具の実施形態を図面に基づき説明する。図１は本発明に係るパイプ支持バンドの仮止め具を用いたパイプ固定要領を示す分解斜視図、図２は本発明に係る仮止め具の構造及び形状を示す斜視図、図３は同取付要領を示す縦断面図である。
【００１９】
図１におけるパイプ支持バンドＡは、一般的な従来品であり、図中想像線で示すパイプＰを抱持すべく、基部がヒンジピン１０を介して結合され開閉する２つ割バンド本体１、１の先側一対の取付片部１１、１１で、基端を建屋の壁面等に固定した足部材２の足本体２１を挟み込み、両者をボルト３とナット４で締結固着するようにしている。一対の取付片部１１、１１には、互いに対応する位置に、ボルト３の軸部３１を挿通する２個の貫通孔１２、１２が開設され、足部材２の足本体２１には、ボルト３の軸部３１を挿通する貫通孔としての長孔２２が開設されている。
【００２０】
パイプ支持バンドＡは、図１のようにパイプＰの周体に２つ割バンド本体１、１をして抱持され、一対の取付片部１１、１１を足部材２の足本体２１を挟み込むようにして重合させ、ボルト３及びナット４により取付片部１１、１１が足部材２に締結・固着されるが、この締結・固着の際に本発明の仮止め具５が使用される。
【００２１】
仮止め具５は、ばね鋼、ステンレス板、アルミ板、銅板等の板金材からなり、取付片部１１、１１の一方の片面に添装される取付ベース５０と、この取付ベース５０に上記２つの貫通孔１２、１２と対応する位置に形成されたボルト係止用空所５１、５１と、この取付ベース５０の上端及び下端から略垂直方向に延設され、他方の取付片部１１に係止する係止爪５２ａ、５２ａを先端に設けた片部５２、５２とにより基本的に構成されている。この例では、ボルト係止用空所５１はボルト係止用孔部（請求項２）に形成されている。
【００２２】
上記ボルト係止用空所５１、５１の開口縁部には、内径がボルト軸部３１の山径よりやや小さい短筒部５３、５３がボルト挿通方向に突設されている。また、片部５２、５２における取付ベース５０側の部分及び取付ベース５０の一部分を切起こして、一方の取付片部１１に係止するべく延設される第２の係止爪５２ｂ、５２ｂを形成してある。この仮止め具５は、取付ベース５０が、一方の取付片部１１と足本体２１との間に添装されるタイプ（内側添装型）の仮止め具５であることを示す。
【００２３】
本発明品では、取付ベース５０の上下端から、片部５２、５２の延設方向とは反対の方向に、第２の係止爪５２ｂ、５２ｂを突出するよう設け、これにより仮止め具５を取付片部１１の一方に係止するようにしている。従って、この取付片部１１の上辺部には第２の係止爪５２ｂのみが存在し、空間部分が多くなるからこの部分に雨水等が溜まり難くなる。また、刻印等がなされる取付片部１１の外側面が取付ベース５０で覆われず、露出部分が多いからこの刻印等が読み取れる状態に維持される。尚、第２の係止爪５２ｂは、係止構造により、不要とすることもできる。
【００２４】
このような仮止め具５を用い、パイプ支持バンドＡによりパイプＰを建屋の壁面（不図示）に配設する要領について、図１及び図３に基づき説明する。先ず、図１のようにパイプＰの周体に仮抱持させた２つ割バンド本体１、１の一方の取付片部１１に、仮止め具５を係止させる。即ち、図３（ａ）に示すように、仮止め具５を、一方の取付片部１１で第２の係止爪５２ｂ、５２ｂを押し開くようにして、その一方の取付片部１１の内側面に取付ベース５０が添装される状態に仮止めする。この状態では、取付ベース５０の表面と弾性復元した第２の係止爪５２ｂ、５２ｂとにより、一方の取付片部１１が挟まれるようになり、仮止め具５は手離しても脱落する懸念なく一方の取付片部１１に安定的に係止される。この状態で施工現場に持ち込まれる。
【００２５】
次に、図３（ｂ）に示すように、一方の取付片部１１の貫通孔１２、及びボルト係止用空所５１にボルト３の軸部３１を挿通させる。この場合、ボルト係止用空所５１の開口縁部に突設された短筒部５３の内径は、ボルト軸部３１の山径よりやや小さくされているから、ボルト３はボルト係止用空所５１に叩き込むように圧入される。ボルト係止用空所５１には鋭利なエッジ部等が存在せず、短筒部５３がガイド筒として機能するから、この圧入の際にねじ山部が損耗するようなことがない。しかも、ボルトの挿通状態においては、短筒部５３の拘束作用によってボルト３が抜け落ちることがない。
【００２６】
更に、図３（ｃ）に示すように、足部材２の長孔２２にボルト３の軸部３１を挿通させ、引き続き、他方の取付片部１１をその貫通孔１２にボルト３の軸部３１を挿通させながら、係止爪５２ａ、５２ａを押し開くようにして足本体２１の片面側に添装するよう押し込む。この状態では、係止爪５２ａ、５２ａが、弾性復元して、他方の取付片部１１の外面側に当接するよう位置するから、この他方の取付片部１１及び足本体２１が外れることがなく、一対の取付片部１１、１１及び足本体２１の重合状態が維持される。
【００２７】
尚、他方の取付片部１１を重合させる作業において、上記２つ割バンド本体１、１の一方が上下にずれていることがあるが、このような場合でも、ボルト３の軸部３１が短筒部５３による支持部を支点として揺動が許容されているから、ボルト軸部３１の貫通孔１２への誘導がし易く、作業が効率的になされる。
【００２８】
上記のように重合状態を維持した状態で、図３（ｃ）に示すように、ナット４をボルト３の軸部３１に螺装締結がなされる。この場合、取付片部１１、１１及び足本体２１は、仮止め具５およびボルト３により重合状態が維持されているから、作業者は、その両手をボルト３及びナット４の締付操作に供することができ、極めて安全且つ効率的にその作業を行うことができる。
【００２９】
この仮止め具５の取付ベース５０には、図２に示すようにボルト係止用空所５１の近傍部に複数の隆起突部５８…が形成されており、図３（ｃ）のようにボルト３及びナット４により螺装締結する際、この隆起突部５８…が取付ベース５０と取付片部１１との間に介在し、両者によって挟圧されることになる。従って、その復元反力により、皿ばね或いはスプリングワッシャのようなボルトの緩みを防止する機能が発現され、上記緊合固着状態が長く維持される。
【００３０】
尚、図示は省略するが、先に足部材２１と他方の取付片部１１を、係止爪５２ａ、５２ａを押し開くようにして取付ベース５０の内側面に添装し、かつ、一方の取付片部１１を第２の係止爪５２ｂ、５２ｂを押し開くようにして取付ベース５０の外側面に添装し、それからボルト３を一方の取付片部１１から、貫通孔１２、ボルト係止用空所５１、長孔２２、及び貫通孔１２を通してナット４締めする、という作業も可能である。
【００３１】
図４は、ボルト係止用空所５１及び短筒部５３の概略的説明図であり、（ａ）は平面図、（ｂ）は（ａ）にけるＸ−Ｘ線断面図、（ｃ）はその変形例を示す。図４（ａ）（ｂ）において、ボルト係止用空所５１の開口縁部に突設された短筒部５３は、内径が先行縮径するテーパー状に形成されており、その最小内径ｄがボルトの山径よりやや小さく設定されている。このようにテーパー状に形成されていると、ガイド機能が付加され、ボルトの圧入挿通の際の作業性が向上する。
【００３２】
この短筒部５３には放射状の切込部（スリット）５３ａが複数周方向に略等間隔で形成されている。この切込部５３ａは、ボルトの圧入の際、短筒部５３の壁部が拡開するのを助長し、ボルトの圧入挿通をし易くするもので、このような線状のものに限らず、星形や花形に形成することも可能である。
【００３３】
図４（ｃ）は、短筒部５３が直状であることを示し、その内径ｄがやはりボルトの山径よりやや小さく設定されている。この例の場合は、図４（ｂ）のようなテーパー状のものに比べボルトの挿入ガイド機能はやや劣るが、同様に好ましく採用される。このような短筒部５３は、仮止め具５を板金加工により製する場合はバーリング加工によって形成される。
【００３４】
図２において、２点鎖線で示す部分５５、５５は、上記ボルト３及びナット４による締結後、上下片部５２、５２を含んで破断除去する為に形成された破断促進部を示す。本発明に係る仮止め具５は、上記のように取付片部１１、１１をボルト３及びナット４により足部材２に重合固着させる際に、文字通りこれら部材同士を仮止めする為に用いられるもので、元来重合固着後は不要とされるものである。しかも、その構造上、特に上下の片部５２、５２が突出するため、これに手などを引っ掛けて怪我をする恐れがあり、また仮止め具５が目立ち見映えもよくない。更に、雨水の溜まりを誘発したり、錆の原因ともなり、劣化が促進されることにもなる。
【００３５】
上記破断促進部５５、５５は、このような難点を極力払拭する為に形成されたもので、図５（ａ）〜（ｈ）は、その種々の形成態様を示すものである。図５（ａ）の破断促進部５５ａは、取付ベース５０の肉厚を線状に薄くする小凹溝によってその幅方向全幅に亘って形成されたものであり、図５（ｂ）の破断促進部５５ｂは、取付ベース５０の幅方向中央部を残してこの小凹溝を形成したものである。
【００３６】
また、図５（ｃ）の破断促進部５５ｃは、上記小凹溝と取付ベース５０の両側辺部からの切込みとを併用したものであり、図５（ｄ）の破断促進部５５ｄは、小凹溝と穿孔とを併用したもの、図５（ｅ）の破断促進部５５ｅは、取付ベース５０の両側辺部からの切込みのみによるものである。更に、図５（ｆ）の破断促進部５５ｆは、切込みと穿孔とを併用したもの、図５（ｇ）の破断促進部５５ｇは、楕円もしくは長円状の長孔によるもの、そして図５（ｈ）の破断促進部５５ｈは、多数の小穿孔によりノッチ状に形成したものを夫々示す。
【００３７】
このような破断促進部５５ａ〜ｈは、取付ベース５０の肉厚を薄くし、或いは実質的に取付ベース５０の幅を狭めるものであり、上記のように取付片部１１、１１をボルト３及びナット４により足部材２に重合固着させた後、上下の片部５２、５２を反り曲げるようにすれば、これら破断促進部５５ａ〜ｈから片部５２、５２が破断除去される。従って、上記重合固着状態においては、仮止め具５は、取付ベース５０のみが残り、突出する部分が除去されるから、上記のように手等を引っ掛ける懸念がなく、また見映えもシンプルとなり、更に雨水の溜まり部分が少なくなって、錆の発生や劣化の促進も少なくなる。
【００３８】
図２では、更に上下片部５２、５２の先側に２点鎖線で示す折曲促進部５６、５６が形成されている。この折曲促進部５６、５６は、上記破断促進部５５ａ〜ｈにより片部５２、５２を破断除去しないまでも、上下片部５２、５２の先側突出部分を、他方の取付片部１１の外側面に、手やハンマー等により叩き込み折曲展装させる為のものである。
【００３９】
この折曲促進部５６、５６としては、図５に示す破断促進部５５ａ〜ｈと同じような形成態様が採用可能である。上記と同様各部材を重合固着させた後、片部５２、５２の先側を殴打し、折曲促進部５６、５６から折曲して他方の取付片部１１の外側面に展装させると、上記同様突出部分がなくなり、手等を引っ掛ける懸念がなく、また見映えもシンプルとなる。
【００４０】
また、仮止め具５を主に板金材で構成する例について述べたが、これを樹脂の成形品により構成することも可能である。更に、建屋の壁面にパイプを配設施工する例について述べたが、床面や天井面等に配設施工する場合にも適用され得ることは言うまでもない。
【００４１】
〔別実施形態〕
本発明による仮止め具５は、図６に示すものでも良い。即ち、取付ベース５０の上下端から、片部５２、５２の延設方向とは反対の方向に、第２の係止爪５２ｂ、５２ｂを突出するよう設け、これにより仮止め具５を取付片部１１の一方に係止するようにしている。取付ベース５０には、２種の実施形態のボルト係止手段（ボルト係止用空所５１）が形成されている。
【００４２】
即ち、図における取付ベース５０の右側辺部から開口幅が大きく（ボルト軸部の山径より大きく）切欠かれた切欠部分６４ｇと、これに連なるボルト係止用切欠部６４（請求項３）と、ボルト挿通孔５９及びこれに連なるボルト係止用長孔部５９ａ（請求項４）とを備える。ボルト挿通孔５９の径及び切欠部分６４ｇの幅寸法はボルト軸部３１の山径より大とされ、またボルト係止用長孔部５９ａ及びボルト係止用切欠部６４の幅寸法は、ボルト軸部３１の山径よりやや小さく、かつ、谷径よりやや大とされている。
【００４３】
従って、ボルトの軸部３１をボルト挿通孔５９に挿通し、その後ボルト係止用長孔部５９ａに沿って横方向（図では左方向）に移動させると、ボルト係止用長孔部５９ａの開口縁部がボルト軸部３１の谷部に嵌り込み、ボルト３は軸方向への抜けが阻止される状態でボルト係止用長孔部５９ａに係止される。同様に、ボルト３を切欠部分６４ｇから横移動させてボルト係止用切欠部６４に係止することができる。
【００４４】
図７は、図６に示す仮止め具５を用いて取付片部１１、１１を足部材２に重合固着する要領を示す図である。この場合、先ず、一方の取付片部１１の貫通孔１２にボルト３の軸部３１を挿通させ、次いで取付ベース５０の切欠部分６４ｇ及びボルト挿通孔５９にボルト３の軸部３１を挿入する。その後仮止め具５を横移動させて、ボルト３の軸部３１をボルト係止用切欠部６４及びボルト係止用長孔部５９ａに係止させる。
【００４５】
この状態では、両ボルト３は夫々ボルト係止用切欠部６４及びボルト係止用長孔部５９ａに係止されているから、軸方向の抜けが阻止される。その後は、上記と同じ要領で足部材２の足本体２１及び他方の取付片部１１の夫々の長孔２２及び貫通孔１２にボルト３の軸部３１を挿通させ、図１２のように仮止め具５により取付片部１１、１１及び足本体２１を仮止めする。そして、ナット４をボルト３の軸部３１に螺装締結させ、これら部材を緊合固着状態とする。
【００４６】
この仮止め具５の取付ベース５０には、図６に示すようにボルト係止用切欠部６４及びボルト係止用長孔部５９ａの近傍部に複数の隆起突部５８…が形成されており、図７のようにボルト３及びナット４により螺装締結する際、この隆起突部５８…が取付ベース５０と取付片部１１との間に介在し、両者によって挟圧されることになるから、その復元反力により、皿ばね或いはスプリングワッシャのようなボルトの緩みを防止する機能が発現され、上記緊合固着状態が長く維持される。
【００４７】
また、片部５２、５２を取付ベース５０に対して図のようにＲを小さく屈曲形成するようにすれば、この屈曲部分５５に応力が集中するから、この屈曲部分５５を前記の破断促進部として機能させることが可能である。その他の構成は、基本的に本実施形態の例と同様であるので、ここでは共通部分には同一の符号を付しその説明を割愛する。
【００４８】
【発明の効果】
請求項１〜７の発明に係るパイプ支持バンドの仮止め具によれば、ボルトを係止させるための取付ベースが、取付片部の一方の内側面と足部材との間に添装されるから、その一方の取付片部の両端における外側には片部が存在しなくなり、この一方の取付片部と片部との間に雨水が溜まることが解消される。つまり、いずれか一方の取付片部の内側に取付ベースが位置するので、取付片部と片部とで囲まれた部分が２箇所から１箇所に減るのである。そして、その一方の取付片部の外側面は開放されることになるから、その開放される側面に品番やメーカー名等を刻印やペイントする面とすることにより、仮止め具を装着しても品番やメーカー名等を露出させることができる。尚、ボルト係止用空所としては、ボルト係止用孔部（請求項２）、ボルト係止用切欠部（請求項３）、ボルト挿通孔とボルト係止用長孔部とによるもの（請求項４）がある。
【００４９】
また、請求項５の発明のように、片部を、取付ベースの上端及び下端から、略並行に各々延設された一対の上片部及び下片部で構成すれば、上下の係止爪によって取付片部を安定的に係止できるとともに、取付片部や足部材の厚みが異なル場合でも、上下片部の延設長さ設定によって対応し易い利点がある。
【００５０】
請求項６の発明に係るパイプ支持バンドの仮止め具によれば、片部の延設方向とは反対側に向くように形成された第２の係止爪を用いて、一方の取付片部を把持可能となり、仮止め具を一方の取付片部に仮止めするにあたっては、ボルトを挿通操作する必要が無くなり、仮止め具の仮止め装着操作をより簡単なものにできる利点がある。
【００５１】
請求項７の発明に係るパイプ支持バンドの仮止め具によれば、ボルト及びナットによって螺装締結する際に、取付ベースと取付片部との間に介在する隆起突部が挟圧されることになり、その復元反力によって皿ばね或いはスプリングワッシャのようなボルトの緩みを防止する機能が生じて、一対の取付片部、足部材、及び仮止め具の緊合固着状態が長く維持される効果がある。
【図面の簡単な説明】
【図１】パイプ支持バンドの仮止め具を用いたパイプ固定要領を示す分解斜視図である。
【図２】仮止め具の構造を示す斜視図である。
【図３】同取付要領を示す縦断面図であり、（ａ）は第２の係止爪を用いて仮止め具に一方の取付片部を仮止めさせた状態を、（ｂ）は一方の取付片部と足部材とにボルトを通した状態を、（ｃ）は重合された一対の取付片部及び足部材に仮止め具を係止させた状態を夫々示す。
【図４】ボルト係止用空所及び短筒部の概略的説明図であり、（ａ）は平面図、（ｂ）は（ａ）にけるＸ−Ｘ線断面図、（ｃ）はその変形例を示す。
【図５】（ａ）〜（ｈ）は、破断促進部の種々の形成態様を示す要部の平面図である。
【図６】仮止め具の別構造を示す斜視図である。
【図７】同仮止め具の取付要領を示す縦断面図である。
【符号の説明】
１              ２つ割バンド本体
２              足部材
３              ボルト
４              ナット
１１            取付片部
１２，２２      貫通孔
３１            軸部
５０            取付ベース
５１            ボルト係止用空所
５２            片部
５２ａ          係止爪
５２ｂ          第２の係止爪
５８            隆起突部
５９            ボルト挿通孔
５９ａ          ボルト係止用長孔部
６４            ボルト係止用切欠部
【図１】
2004232799.tif 000003
【図２】
2004232799.tif 000004
【図３】
2004232799.tif 000005
【図４】
2004232799.tif 000006
【図５】
2004232799.tif 000007
【図６】
2004232799.tif 000008
【図７】
2004232799.tif 000009